(57)【要約】【課題】端子接続口の脱着作業を迅速かつ確実に行うことができ、大きさの異なる記録装置の接続が可能な記録装置の接続装置を提供する。【解決手段】接続部３１ａを有する接続ユニット３ａは、ハードディスクドライブ装置２に対して、上辺に接触して支持する受け部材３５Ｒ、３５Ｌと、下側両端辺２３Ｒ、２３Ｌに接触して支持する案内面３３１Ｒ、３３１Ｌを有し、案内面３３１Ｒ、３３１Ｌは、スプリング３４１ｓ〜３４４ｓによって、下側両端辺２３Ｒ、２３Ｌに押接される。案内面３３１Ｒ、３３１Ｌは、ハードディスクドライブ装置２に向けて広がるような傾斜角度を備えた傾斜面であるため、ハードディスクドライブ装置２との距離を調整することによって、サイズの異なるハードディスクドライブ装置２を保持・案内することが可能となる。【選択図】図２
2015228272.tif 000002
【特許請求の範囲】
【請求項１】
記録装置に設けられた接続端子が接続される接続部と、
記録装置の接続端子の接続方向に平行な基準面に対向し、保持状態で該基準面に接触する受け部材と、
前記受け部材との距離を変更可能に支持されるとともに、記録装置の本体の対向する端辺に対してそれぞれ押圧される一対の案内面を備えた支持部材と、
支持部材に対して前記基準部材へ向けての付勢力を付与する付勢部材とを備え、
前記受け部材と前記一対の支持部材との間に記録装置を挟まれることによって保持する構成であって、
前記一対の支持部材が各々備える案内面は互いに対向して設けられ、該案内面の間の距離は前記受け部材へ向けて間隔が広がるような傾斜面であり、接続端子の接続方向に平行に配置されている記録装置の接続装置。
【請求項２】
前記付勢部材が付勢力を支持部材に作用する作用点は、３点以上が同一直線状に位置せず、各々別箇に付勢力を作用させる請求項１に記載の記録装置の接続装置。
【請求項３】
前記支持部材は、各案内面について１つ設けられ、各支持部材に対して付勢部材による付勢力が付与される請求項１に記載の記録装置の接続装置。
【請求項４】
保持状態で記録装置に接触する部位には、帯電防止材料が用いられている請求項１〜３のいずれか１に記載の記録装置の接続装置。
【発明の詳細な説明】
【技術分野】
【０００１】
この発明は、記録装置の接続装置に係り、詳しくは、電気信号の接続部を備える記録装置にデータを送受作業を行うに際して、迅速かつ正確に接続部の物理的接続を行うことができる記録装置の接続装置に関するものである。
【背景技術】
【０００２】
従来、例えば、複数のハードディスクドライブ装置にデータを記録する際、複数のハードディスクドライブ装置を接続保持する接続装置が提案されている(特許文献１)。このような接続装置は、大量のハードディスクドライブ装置にデータを記録する際に使用され、データの書き込みが完了する度に、順次新しいハードディスクドライブ装置に交換され、データの書き込み作業が行われる。このように、接続装置は、順次ハードディスクドライブ装置を付け替えて、データの書き込みを繰り返す作業に利用される。
【先行技術文献】
【特許文献】
【０００３】
【特許文献１】特開２００７−４８４１５号公報
【発明の概要】
【発明が解決しようとする課題】
【０００４】
ところで、ハードディスクドライブ装置にデータを書き込むには、ハードディスクドライブ装置の接続端子が、接続装置側の端子に正確に接続させている必要がある。また、ハードディスクドライブ装置の着脱作業においては、接続口に設けられた接続端子の接続と取り外しが繰り返されることとなる。一方、接続に際しては、接続口を構成するピンを、他方の接続口のピン孔に正確に挿入しなければならないため、相互に接続される接続口の位置を正確に決定し、接続方向に沿ってハードディスクドライブ装置を注意深くスライドさせる、といった作業が行われる。
【０００５】
このように、データの書き込み作業を繰り返し行う場合、ハードディスクドライブ装置の接続と取り外し作業は慎重に行う必要があるため、この端子の脱着作業に手間取ると、作業効率が悪化するといった問題があり、殊に、多量のハードディスクドライブ装置にデータをコピーする作業においては、さらに悪化するといった問題があった。
【０００６】
また、ハードディスクドライブ装置は、メーカによって大きさが微妙に異なるため、すべてのメーカのハードディスクドライブ装置に対応した接続装置を作製すると、イニシャルコストが高額となる、といった問題もあった。
【０００７】
この発明は、端子接続口の脱着作業を迅速かつ確実に行うことができ、大きさの異なる記録装置の接続が可能な記録装置の接続装置を提供することを目的とするものである。
【課題を解決するための手段】
【０００８】
以上のような問題を解決する本発明は、以下のような構成を有する。
（１）記録装置に設けられた接続端子が接続される接続部と、
記録装置の接続端子の接続方向に平行な基準面に対向し、保持状態で該基準面に接触する受け部材と、
前記受け部材との距離を変更可能に支持されるとともに、記録装置の本体の対向する端辺に対してそれぞれ押圧される一対の案内面を備えた支持部材と、
支持部材に対して前記基準部材へ向けての付勢力を付与する付勢部材とを備え、
前記受け部材と前記一対の支持部材との間に記録装置を挟まれることによって保持する構成であって、
前記一対の支持部材が各々備える案内面は互いに対向して設けられ、該案内面の間の距離は前記受け部材へ向けて間隔が広がるような傾斜面であり、接続端子の接続方向に平行に配置されている記録装置の接続装置。
【０００９】
（２）前記付勢部材は、同一直線状に位置しない３点以上の作用点に対して、各々別箇に付勢力を作用させる上記（１）に記載の記録装置の接続装置。
【００１０】
（３）前記支持部材は、各案内面について１つ設けられ、各支持部材に対して付勢部材による付勢力が付与される上記（１）に記載の記録装置の接続装置。
【００１１】
（４）保持状態で記録装置に接触する部位には、帯電防止材料が用いられている上記（１）〜（３）のいずれか1に記載の記録装置の接続装置。
【発明の効果】
【００１２】
請求項１に記載の発明によれば、案内面が傾斜しているため、記録装置の大きさに応じて接触位置を移動させることができるので、サイズを調整するためのアダプタの使用や設計変更をする必要がなくなる。傾斜する案内面は記録装置の端辺に対して線接触し、該端辺が接続端子の接続方向に平行であるから、接続操作に対しする抵抗が軽減される。
【００１３】
請求項２に記載の発明によれば、記録装置は、３点以上の作用点に付勢力が別箇に作用して、受け部材に押し付ける構成であるため、記録装置と受け部材との接触圧が均一に近づき、接続端子の着脱操作が容易となる。また、付勢力の作用点に対して、それぞれ独立して付勢力が作用するので、着脱操作時において、記録装置姿勢が崩れても、容易迅速に姿勢を修正させることができる。
【００１４】
請求項３に記載の発明によれば、支持部材に対してそれぞれ案内面が設けられているので、各案内面が独立して移動することができ、より確実に記録装置を保持し、案内することができる。
【００１５】
請求項４に記載の発明によれば、記録装置に接触する部位が帯電防止材で構成されているので、静電気の放電が抑制され、静電気の放電による記録装置の電子回路の破損が抑制される。
【図面の簡単な説明】
【００１６】
【図１】本発明の記録装置の接続装置の全体平面図である。
【図２】接続ユニットの分解斜視図である。
【図３】接続ユニットの正面図である。
【図４】接続ユニットの側面断面図である。
【図５】接続ユニットの側面断面図である。
【図６】接続ユニットの正面図である。
【図７】接続ユニットの側面断面図である。
【図８】接続ユニットの正面図である。
【図９】他の実施形態における支持部材の全体斜視図である。
【図１０】他の実施形態における接続ユニットの分解斜視図である。
【図１１】他の実施形態における接続ユニットの正面図である。
【発明を実施するための形態】
【００１７】
以下、本発明の好適実施形態の１つについて、詳細に説明する。図１は、本発明の記録装置の接続装置1の全体平面図、図２は、同じく部分分解斜視図である。本発明の記録装置の接続装置1は、筐体１０内に記録装置２を収容して接続端子に接続する接続ユニット３ａ、３ｂ、３ｃを備え、各接続ユニット３ａ、３ｂ、３ｃは、同じ構成を有し、それぞれハードディスクドライブ装置２が挿入される。
【００１８】
以下、接続ユニット３ａについて、その構成を説明し、他の接続ユニット３ｂ、３ｃについては、説明を省略する。図３は、接続ユニット３ａ部分の正面図、図４は同じく側面断面図である。接続ユニット３ａに装填されるハードディスクドライブ装置２の筐体２０は、平たい直方体形状を有し、長方形の上面２０Ｕと底面２０Ｄと、幅方向を長辺とし、厚さ方向を短辺とする長方形状の前面２０Ｆ、後面２０Ｂ、前後方向（接続方向）を長辺とし、厚さ方向を短辺とする長方形状の右側面２０Ｒ、左側面２０Ｌを備える。前面２０Ｆには、接続端子口２１が設けられている。
【００１９】
筐体２０内には、磁気記録媒体としてのハードディスクや、ハードディスクを回転駆動させる駆動装置、ハードディスクに対してデータを読み書きする磁気ヘッド、その他制御回路等が収容されており、回転駆動しているハードディスクの表面に磁気ヘッドを滑らせることによって、データの読み出しや書き込みが行われる。
【００２０】
接続ユニット３ａは、接続装置１の本体１０に固定された一対の受け部材３５Ｒ、３５Ｌと、支持部材３２ａと、付勢部材としてのスプリング３４１Ｓ、３４２Ｓ、３４３Ｓ、３４４Ｓと、案内部材としてのガイドネジ３４１、３４２、３４３、３４４と、接続部３１ａを備えている。
【００２１】
受け部材３５Ｒ、３５Ｌは、横断面形状がそれぞれ対象形状に構成されている。受け部材３５Ｒは、横断面形状が内側に屈曲した２平面を備える。即ち、ハードディスクドライブ装置２の上面２０Ｕに対向する受け面３５２Ｒと、同じく右側面２０Ｒに対向する右内側面３５３Ｒとを備え、受け面３５２Ｒと右内側面３５３Ｒは相互に直角に交差し、ハードディスクドライブ装置２の上面２０Ｕと右側面２０Ｒに接触する。
【００２２】
同じく、受け部材３５Ｌは、横断面形状が内側に屈曲した２平面を備え、ハードディスクドライブ装置２の上面２０Ｕに対向する受け面３５２Ｌと、同じく左側面２０Ｌに対向する左内側面３５３Ｌとを備える。受け面３５２Ｌと左内側面３５３Ｌは相互に直角に交差し、ハードディスクドライブ装置２の上面２０Ｕと左側面２０Ｌに接触する。受け部材３５Ｒの端部と受け部材３５Ｌの端部との間には、接続部３１ａが配置されている。
【００２３】
受け部材３５Ｒと受け部材３５Ｌの間には、ハードディスクドライブ装置２が装填されるが、装填されたハードディスクドライブ装置２の接続端子口２１に対向する位置に、接続部３１ａが配置されている。接続端子口２１と接続部３１ａは着脱自在に構成されており、接続端子口２１と接続部３１ａとの挿脱方向に沿って、受け部材３５Ｒ、３５Ｌの受け面３５２Ｒ、３５２Ｌ、右内側面３５３Ｒ、左内側面３５３Ｌが配置されている。
【００２４】
支持部材３２ａは、受け面３５２Ｒ、３５２Ｌに対向した位置に配置された部材であって、両端部において、受け部材３５Ｒ、３５Ｌに対向する位置に案内部材３３Ｒ、３３Ｌが設けられている。押接部材３３Ｒ、３３Ｌは、受け部材３５Ｒ、３５Ｌに対して平行に配置され、相互に対向する側に案内面３３１Ｒ、３３１Ｌがそれぞれ形成されている。
【００２５】
案内面３３１Ｒ、３３１Ｌの傾斜方向は、受け部材３５Ｒ、３５Ｌへ向けて、広がる方向に傾斜している。案内面３３１Ｒには、ハードディスクドライブ装置２の右側底部側端辺２３Ｒが当接し、案内面３３１Ｌには、同じく左側底部側端辺２３Ｌが当接する。即ち、ハードディスクドライブ装置２の左右側端辺２３Ｒ、２３Ｌと、左右の案内面３３１Ｒ、３３１Ｌとは線接触となり、接続端子口２１と接続部３１ａとの挿脱時には、左右側端辺２３Ｒ、２３Ｌに沿ってスライド移動する。
【００２６】
支持部材３２ａは、案内部材である４つのガイドピン３４１、３４２、３４３、３４４によって、受け部材３５Ｒ、３５Ｌに取り付けられている。支持部材３２ａは、これらガイドピン３４１、３４２、３４３、３４４に沿って往復動可能に構成されている。ガイド部材であるガイドピン３４１、３４２、３４３、３４４は、それぞれ先端部にネジが形成され、基端部には拡径したスプリング受け部が形成されている。支持部材３２ａの四隅近傍に形成された挿通孔３２１、３２２、３２３、３２４を挿通したガイドピン３４１、３４２、３４３、３４４は、先端が受け部材３５Ｒ、３５Ｌの雌ネジ３５０Ｒ、３５０Ｌにそれぞれ螺入されている。支持部材３２ａとスプリング受け部との間には、それぞれ付勢部材としての圧縮スプリング３４１ｓ、３４２ｓ、３４３ｓ、３４４ｓが外装されている。
【００２７】
圧縮スプリング３４１ｓは、スプリング受け部と支持部材３２ａの間に位置し、支持部材３２ａを受け部材３５Ｒ、３５Ｌの方向へ付勢する。挿通孔３２１とガイドピン３４１の間には遊びがあり、ガイドピン３４１の軸方向に対して支持部材３２ａは、任意の角度に傾斜可能に構成されている。他の各ガイドピン３４２、３４３、３４４についても、圧縮スプリング３４２ｓ、３４３ｓ、３４４ｓが、ガイドピン３４１と同様の構成で外装されており、各圧縮スプリング３４１ｓ、３４２ｓ、３４３ｓ、３４４ｓは、それぞれ独立して付勢力を支持部材３２ａに対して付与し、また、各ガイドピン３４１、３４２、３４３、３４４に対して支持部材３２ａの各挿通孔３２１、３２２、３２３、３２４は、個別に交差角度を成すことが可能となる。
【００２８】
また、押接部材３３Ｒ、３３Ｌの案内面３３１Ｒ、３３１Ｌは傾斜面であるため、装填されるハードディスクドライブ装置２の大きさに応じて、接触位置を変更することができる。このため、異なる大きさのハードディスクドライブ装置２の保持が可能となる。押接部材３３Ｒ、３３Ｌのハードディスクドライブ装置２の挿入口３０ａ側には、挿入口３０ａから接続口３１へ向けて、押接部材３３Ｒ、３３Ｌの厚さが漸増するような斜面３３２Ｒ、３３２Ｌが形成されている。
【００２９】
以上のような構成において、ハードディスクドライブ装置２を装填する際の作用について説明する。図５に示されているように、挿入口３０ａにハードディスクドライブ装置２を挿入すると、前面２０Ｆの下端辺２０Ｆｉが、斜面３３２Ｒ、３３２Ｌに接触し、さらにハードディスクドライブ装置２を押し込むと、前面２０Ｆの下端辺２０Ｆｉは斜面３３２Ｒ、３３２Ｌを介して押接部材３３Ｒ、３３Ｌを押し下げつつ移動する。
【００３０】
この際、ハードディスクドライブ装置２は、圧縮スプリング３４３ｓ、３４１ｓによって、受け面３５２Ｒ、３５２Ｌ側へ押し付けられる。受け面３５２Ｒ、３５２Ｌには、ハードディスクドライブ装置２の基準面である上面２０Ｕが接触し、圧縮スプリング３４３ｓ、３４１ｓによって、基準面は受け面３５２Ｒ、３５２Ｌに常時密着する構成となっている。図６に示されているように、ハードディスクドライブ装置２の挿入口３０ａへの挿入作業の際に、上面２０Ｕと受け面３５２Ｒ（又は受け面３５２Ｌ）との間に隙間が生じた場合においても、圧縮スプリング３４１ｓの付勢力によって、常時上面２０Ｕは、受け面３５２Ｒ、３５２Ｌとの接触が維持されるように姿勢が修正される。
【００３１】
ハードディスクドライブ装置２の接続端子口２１は、基準面である上面２０Ｕから予め定められた距離に設けられており、特定のサイズのハードディスクドライブ装置２では、この距離は共通している。従って、本発明の接続装置１では、基準面が接触する受け面３５２Ｒ、３５２Ｌから接続部３１ａまでの距離は、上面２０Ｕから接続端子口２１までの距離と一致するように設定されている。このように設定することによって、受け面３５２Ｒ、３５２Ｌに上面２０Ｕを接触させた状態で、ハードディスクドライブ装置２を挿入することで、図７に示されているように、接続部３１ａと接続端子口２１とが滑らかに接続できるように構成されている。
【００３２】
また、接続部３１ａの設置位置は、ハードディスクドライブ装置２の厚さ方向の位置に加えて、幅方向の位置も正確に設定されている必要がある。挿入されるハードディスクドライブ装置２の幅方向における挿入位置も、接続部３１ａと接続端子口２１とが滑らかに接続できるような位置とならなければならない。基準面とは、ハードディスクドライブ装置２の接続端子口２１の位置を規定するために基準となる面であり、同一規格のハードディスクドライブ装置であれば、基準面からの接続端子口２１までの距離が同一となっている。
【００３３】
図８に示されているように、この接続装置１では、案内面３３１Ｒ、３３１Ｌの傾斜角度が同一となっているため、圧縮スプリング３４２ｓ、３４３ｓ、３４４ｓの付勢力によって、左右底部側端辺２３Ｌ、２３Ｒに案内面３３１Ｒ、３３１Ｌが押圧されることによって、ハードディスクドライブ装置２は、案内面３３１Ｒ、３３１Ｌの傾斜によって、両者の中央の位置に案内される。即ち、傾斜する案内面３３１Ｒ、３３１Ｌと圧縮スプリング３４２ｓ、３４３ｓ、３４４ｓの作用により、ハードディスクドライブ装置２の幅方向における位置は、常時同じ位置に保持されることとなり、接続端子口２１を適正な位置に案内しつつ、接続ユニット３ａ内を接続方向にスライド挿入させることが可能となる。
【００３４】
また、左右底部側端辺２３Ｌ、２３Ｒと案内面３３１Ｒ、３３１Ｌとは、相互に線接触となり、かつ、左右底部側端辺２３Ｌ、２３Ｒと平行な方向にハードディスクドライブ装置２をスライドさせることとなるので、スライド操作する際の摩擦抵抗が抑制され、接続端子口２１の着脱操作を容易にできるといった利点がある。
【００３５】
また、支持部材３２aは、ガイドピン３４１、３４２、３４３、３４４の方向に移動可能に、換言すると、受け部材３５Ｒ、３５Ｌとの距離を変更可能に構成されているので、ハードディスクドライブ装置２のサイズの違い(特に厚さ方向)に応じて、自在に位置変更可能に構成されている。したがって、異なるサイズのハードディスクドライブ装置２を接続することが可能となっている。また、案内面３３１Ｒ、３３１Ｌが傾斜面であるため、ハードディスクドライブ装置２の幅方向のサイズの違いに応じて、左右底部側端辺２３Ｌ、２３Ｒと案内面３３１Ｒ、３３１Ｌとの接触位置が移動して、ハードディスクドライブ装置２を接触保持することも可能である。このように、ハードディスクドライブ装置２の挿脱操作における姿勢の変動を補正しつつ、接続端子口２１と接続部３１ａとの脱着位置を適正な位置に案内するとともに、異なる大きさのハードディスクドライブ装置２に対応した保持機能も備えるものである。
【００３６】
支持部材３２ａに作用する付勢部材は、上記実施形態では、４点に作用しているが、付勢力の作用点は、３点以上が同一直線状に位置しない複数の作用点を有すればよく、４点に限定されない。図９は、支持部材３２ａの他の構成を示す斜視図である。支持部材３２ａに挿通するガイドピンは３つとなっている。支持部材３２ａには、挿通孔３２３、３２４に対して、反対側に端部に、挿通孔３２１、３２２に替えて、挿通孔３２５が形成されている。挿通孔３２５は、挿通孔３２３、３２４に対して、その略中央の位置に配置されており、挿通孔３２５には、ガイドピン３４５が挿通し、ガイドピン３４５には、付勢部材としての圧縮スプリング３４５ｓが外装されている。また、圧縮スプリング３４５ｓは、圧縮スプリング３４３ｓ、３４４ｓの弾性係数に比較して２倍の値の弾性形成となっており、両案内部材３３Ｒ、３３Ｌに作用する付勢力は同等となるように構成されている。
【００３７】
また、図１０は、他の実施形態における接続ユニットの分解斜視図である。接続ユニットを構成する支持部材３２ａが、左右の支持部材３２Ｌ、３２Ｒに分割されている。各支持部材３２Ｌ、３２Ｒには、それぞれ案内部材３３Ｒ、３３Ｌが配置されており、支持部材３２Ｒは、一対のガイドピン３４１、３４２によって、支持部材３２Ｌは一対のガイドピン３４３、３４４によって、それぞれ移動可能に支持されており、それぞれ圧縮スプリング３４１ｓ、３４２ｓ、３４３ｓ、３４４ｓによって、受け部材３５Ｒ、３５Ｌの方向に付勢されている。
図１１に示されているように、支持部材３２Ｒの案内面３３１Ｒの傾斜角は、受け面３５２Ｒ、３５２Ｌに対して鈍角となっており、一方、支持部材３２Ｌの案内面３３１Ｌの傾斜角は、受け面３５２Ｒ、３５２Ｌに対して鋭角となっている。
【００３８】
以上のような構成とすることにより、ハードディスクドライブ装置２の左右底部側端辺２３Ｌ、２３Ｒに対して、案内部材３３Ｒ、３３Ｌがそれぞれ独立して押接されるので、より確実にハードディスクドライブ装置２を案内保持することができる。また、案内面３３１Ｒと案内面３３１Ｌの傾斜角度の違いによって、ハードディスクドライブ装置２は、受け部材３５Ｌの左内側面３５３Ｌへ押し付けられる。このように、ハードディスクドライブ装置２の基準面を左側面２０Ｌとした場合、常時基準面が受け部材３５Ｌの左内側面３５３Ｌに接触しているように、ハードディスクドライブ装置２を案内保持できる構成となっている。
【００３９】
このように、常にハードディスクドライブ装置２の基準面が受け部材に接触するように構成することによって、接続部３１ａと接続端子口２１とを、相互に対向する位置に正確に誘導し、両者の円滑な着脱操作を担保することができる。
受け部材３５Ｒ、３５Ｌまたは案内部材３３Ｒ、３３Ｌにおいて、ハードディスクドライブ装置２と接触する部分には、帯電防止材料が用いられる。このような構成とすることによって、接続ユニットにハードディスクドライブ装置２を装填する際に、ハードディスクドライブ装置２に帯電していた静電気を除去することができ、接続端子口２１と接続部３１ａとの接続時に静電気の放電による回路の損傷を抑制することができる。
【符号の説明】
【００４０】
１  記録装置の接続装置
２  ハードディスクドライブ装置（記録装置）
２０Ｕ  上面（基準面）
２３Ｌ、２３Ｒ  底部側端辺
２１  接続端子口
３ａ〜３ｃ  接続ユニット
３１ａ〜３１ｃ  接続部
３２ａ〜３２ｃ  支持部材
３３Ｒ、３３Ｌ  案内部材
３３１Ｒ、３３１Ｌ  案内面
３４１〜３４４  ガイドピン
３４１ｓ〜３４４ｓ  圧縮スプリング（付勢部材）
３５Ｒ、３５Ｌ  受け部材
【図１】
2015228272.tif 000003
【図２】
2015228272.tif 000004
【図３】
2015228272.tif 000005
【図４】
2015228272.tif 000006
【図５】
2015228272.tif 000007
【図６】
2015228272.tif 000008
【図７】
2015228272.tif 000009
【図８】
2015228272.tif 000010
【図９】
2015228272.tif 000011
【図１０】
2015228272.tif 000012
【図１１】
2015228272.tif 000013